(57)【要約】【課題】迅速に目的の画像を拡大投射し得ると共に操作性の良い投射システム等を提供することを目的とする。【解決手段】表示画面１１と、表示画面に表示されている初期画像の少なくとも一部を拡大範囲として指定するためのペン１２と、を有するタブレットＰＣ１０と、タブレットＰＣから送信された画像の投射を行う投射手段２１を有するプロジェクタ２０と、が接続されて成る投射システム１であって、表示画面に表示されている初期画像に書き込みが行われることによって、拡大範囲が指定され、当該指定に基づいて拡大範囲に含まれる対象画像を拡大投射すると共に、その拡大投射時において、表示画面には初期画像を表示するものである。【選択図】図１
2007241537.tif 000002
【特許請求の範囲】
【請求項１】
表示画面を有し、当該表示画面に表示されている初期画像の少なくとも一部を拡大範囲として指定する携帯情報端末と、
前記携帯情報端末から送信された画像の投射を行う投射装置と、が接続されて成る投射システムであって、
前記表示画面に表示されている前記初期画像への書き込みによって、前記拡大範囲が指定される拡大範囲指定手段と、
指定された前記拡大範囲に含まれる対象画像を拡大投射する投射手段と、
前記投射手段による前記対象画像の拡大投射時において、前記表示画面に前記初期画像を表示する初期画像表示手段と、
を備えていることを特徴とする投射システム。
【請求項２】
指定された前記拡大範囲を含む矩形範囲と、前記表示画面の解像度と、に基づいて、縦横等倍且つ最大拡大できるように前記矩形範囲を拡張補正すると共に、拡大率を算出する補正・算出手段をさらに備え、
前記投射手段は、拡張補正後の前記矩形範囲である補正矩形範囲に含まれる補正対象画像を、算出した前記拡大率で拡大投射することを特徴とする請求項１に記載の投射システム。
【請求項３】
前記初期画像表示手段は、前記初期画像上に、前記補正矩形範囲を表示することを特徴とする請求項２に記載の投射システム。
【請求項４】
前記補正・算出手段は、
前記携帯情報端末が、前記矩形範囲の基点、幅および高さに関する矩形範囲データを前記投射装置に送信する手段と、
前記投射装置が、受信した前記矩形範囲データと、前記表示画面の解像度と、に基づいて、前記矩形範囲を拡張補正すると共に、拡大率を算出する手段と、から成り、
前記初期画像表示手段は、
前記投射装置が、前記補正矩形範囲の基点、補正幅および補正高さに関する補正矩形範囲データを、前記携帯情報端末に送信する手段と、
前記携帯情報端末が、受信した前記補正矩形範囲データに基づいて、前記補正矩形範囲を表示する手段と、から成ることを特徴とする請求項３に記載の投射システム。
【請求項５】
前記初期画像上における前記補正矩形範囲の位置を移動する移動手段をさらに備え、
前記投射手段は、前記移動手段の移動に伴って、移動された前記補正矩形範囲に含まれる補正対象画像を拡大投射することを特徴とする請求項３または４に記載の投射システム。
【請求項６】
前記移動手段および前記投射手段は、
前記携帯情報端末が、前記補正矩形範囲の移動後の基点に関する移動基点データを前記投射装置に送信する手段と、
前記投射装置が、受信した前記移動基点データと、前記初期画像と、に基づいて、移動された前記補正矩形範囲に含まれる補正対象画像を生成し、当該補正対象画像を拡大投射する手段と、から成ることを特徴とする請求項５に記載の投射システム。
【請求項７】
前記拡大範囲指定手段は、ペンによって前記表示画面に閉じた図形が書き込まれることにより、前記拡大範囲が指定されることを特徴とする請求項１ないし６のいずれか１項に記載の投射システム。
【請求項８】
前記拡大範囲指定手段は、ペンによって前記表示画面に直線が書き込まれることにより、前記拡大範囲の底辺が指定され、
前記補正・算出手段は、書き込まれた前記直線と、前記表示画面の解像度と、に基づいて、前記矩形範囲の高さを算出した後、当該矩形範囲の拡張補正、および前記拡大率の算出を行うことを特徴とする請求項２ないし６のいずれか１項に記載の投射システム。
【請求項９】
前記拡大範囲指定手段は、前記ペンに特定色が指定されている場合のみ、前記拡大範囲が指定可能であることを特徴とする請求項７または８に記載の投射システム。
【請求項１０】
請求項１ないし９のいずれか１項に記載の投射システムに適用される投射装置。
【請求項１１】
請求項１ないし９のいずれか１項に記載の投射システムに適用される携帯情報端末。
【請求項１２】
表示画面と、前記表示画面に表示されている初期画像の少なくとも一部を拡大範囲として指定するための操作手段と、を有する携帯情報端末と、
前記携帯情報端末から送信された画像の投射を行う投射手段を有する投射装置と、が接続されて成る投射システムの制御方法であって、
前記操作手段により、前記表示画面に表示されている前記初期画像への書き込みによって、前記拡大範囲が指定される拡大範囲指定ステップ、
前記投射手段により、指定された前記拡大範囲に含まれる対象画像を拡大投射する投射ステップ、
前記投射ステップにおける前記対象画像の拡大投射時において、前記表示画面に前記初期画像を表示する初期画像表示ステップ、
を実行することを特徴とする投射システムの制御方法。
【請求項１３】
コンピュータを、請求項１ないし９のいずれか１項に記載の投射システムにおける各手段として機能させるためのプログラム。
【発明の詳細な説明】
【技術分野】
【０００１】
画像を生成する携帯情報端末と、当該携帯情報端末から送信された画像を投射する投射装置とから成る投射システム、投射装置、携帯情報端末、投射システムの制御方法およびプログラムに関する。
【背景技術】
【０００２】
従来、画像を生成する情報端末（例えば、コンピュータ）と、当該情報端末から送信された画像を投射する投射装置（プロジェクタ）とから成る投射システムを用いたプレゼンテーションにおいて、投射画像の一部である表や文字をより分かり易く表示するため、強調したい部分だけを拡大投射することが行われている。その方法の一つとして、例えば特許文献１には、プロジェクタのリモコンやメニューキーを用いて拡大率を調整する方法が記載されている。
【特許文献１】特開２００４−０４８６９５号公報
【０００３】
また、その他の拡大投射の方法として、コンピュータ側の操作によって送信する画像を拡大処理する方法も知られている。つまり、コンピュータのアプリケーションを用いて、コンピュータの表示画面上に表示させる画像の拡大処理を行い、その拡大処理後の画像をプロジェクタに送信する方法である。
【発明の開示】
【発明が解決しようとする課題】
【０００４】
ところが、上記のように、プロジェクタ側で拡大する場合は、投射画像の中心部から拡大を行い、所望の拡大位置まで移動させるといった操作が必要であり、目的の画像を表示するまでに時間がかかるといった問題があった。また、近年学校等の教育現場では、タブレットＰＣやＰＤＡ等の携帯情報端末を手に持ってプレゼンテーションを行うことが多く行われているが、プロジェクタ側で拡大する場合は、携帯情報端末を操作するためのペンをリモコン等に持ち替える必要があり、さらに手間が掛かる。一方、コンピュータ側で拡大する場合は、投射画像と同様に、コンピュータの表示画面上における画像も拡大されるため、プレゼンテーションがしづらいといった問題があった。
【０００５】
本発明は、上記の問題点に鑑み、迅速に目的の画像を拡大投射し得ると共に操作性の良い投射システム、投射装置、携帯情報端末、投射システムの制御方法およびプログラムを提供することを目的とする。
【課題を解決するための手段】
【０００６】
本発明の投射システムは、表示画面を有し、当該表示画面に表示されている初期画像の少なくとも一部を拡大範囲として指定する携帯情報端末と、携帯情報端末から送信された画像の投射を行う投射装置と、が接続されて成る投射システムであって、表示画面に表示されている初期画像への書き込みによって、拡大範囲が指定される拡大範囲指定手段と、指定された拡大範囲に含まれる対象画像を拡大投射する投射手段と、投射手段による対象画像の拡大投射時において、表示画面に初期画像を表示する初期画像表示手段と、を備えていることを特徴とする。
【０００７】
また、本発明の投射システムの制御方法は、表示画面と、表示画面に表示されている初期画像の少なくとも一部を拡大範囲として指定するための操作手段と、を有する携帯情報端末と、携帯情報端末から送信された画像の投射を行う投射手段を有する投射装置と、が接続されて成る投射システムの制御方法であって、操作手段により、表示画面に表示されている初期画像への書き込みによって、拡大範囲が指定される拡大範囲指定ステップ、投射手段により、指定された拡大範囲に含まれる対象画像を拡大投射する投射ステップ、投射ステップにおける対象画像の拡大投射時において、表示画面に初期画像を表示する初期画像表示ステップ、を実行することを特徴とする。
【０００８】
これらの構成によれば、初期画像への書き込みによって拡大範囲を指定し、その拡大範囲に含まれる対象画像を拡大投射することができる。つまり、拡大範囲を直接指定することができるため、投射装置側で拡大する場合（投射画像の中心部から拡大を行い、所望の拡大位置まで移動させる操作が必要）と比べて、迅速に目的の画像を拡大投射することができる。また、投射装置で拡大投射されているときでも、携帯情報端末の表示画面は元の初期画像を表示したままである（対象画像のみが拡大表示された状態ではない）ため、操作者は初期画像全体を把握しながらプレゼンテーションを行うことができ、操作性が良い。さらに、携帯情報端末側の操作で拡大投射を行うため、投射装置を操作するためのリモコン等に持ち替える必要がなく、操作性を損ねることがない。
【０００９】
上記の投射システムにおいて、指定された拡大範囲を含む矩形範囲と、表示画面の解像度と、に基づいて、縦横等倍且つ最大拡大できるように矩形範囲を拡張補正すると共に、拡大率を算出する補正・算出手段をさらに備え、投射手段は、拡張補正後の矩形範囲である補正矩形範囲に含まれる補正対象画像を、算出した拡大率で拡大投射することが好ましい。
【００１０】
この構成によれば、拡大範囲の指定によって拡大率が算出されるため、拡大率を指定する手間を省くことができる。また、縦横等倍且つ最大拡大できるように拡大範囲を含む矩形範囲を拡張補正するため、より分かり易く（効果的に）拡大投射を行うことができる。なお、「拡張補正」とは、矩形範囲の幅および高さの両方を縮小することなく、少なくとも一方を拡張する補正を指すものである。
【００１１】
上記の投射システムにおいて、初期画像表示手段は、初期画像上に、補正矩形範囲を表示することが好ましい。
【００１２】
この構成によれば、操作者が、投射画像を見なくとも携帯情報端末側で補正矩形範囲を確認することができる。
【００１３】
上記の投射システムにおいて、補正・算出手段は、携帯情報端末が、矩形範囲の基点、幅および高さに関する矩形範囲データを投射装置に送信する手段と、投射装置が、受信した矩形範囲データと、表示画面の解像度と、に基づいて、矩形範囲を拡張補正すると共に、拡大率を算出する手段と、から成り、初期画像表示手段は、投射装置が、補正矩形範囲の基点、補正幅および補正高さに関する補正矩形範囲データを、携帯情報端末に送信する手段と、携帯情報端末が、受信した補正矩形範囲データに基づいて、補正矩形範囲を表示する手段と、から成ることが好ましい。
【００１４】
この構成によれば、投射装置側で矩形範囲の拡張補正、および拡大率の算出を行うことにより、携帯情報端末に拡張補正等を行う機能を搭載する必要がないため、携帯情報端末の汎用性を高めることができる。
【００１５】
上記の投射システムにおいて、初期画像上における補正矩形範囲の位置を移動する移動手段をさらに備え、投射手段は、移動手段の移動に伴って、移動された補正矩形範囲に含まれる補正対象画像を拡大投射することが好ましい。
【００１６】
この構成によれば、範囲指定した以外の領域を拡大表示したい場合でも、再度拡大範囲を指定するのではなく、補正矩形範囲の位置を移動すればよいため、操作性が良い。また、この場合でも、携帯情報端末の表示画面上には、初期画像が表示されたままであり、初期画像上に表示されている補正矩形範囲を移動させればよいため、所望する位置への移動が容易である。
【００１７】
上記の投射システムにおいて、移動手段および投射手段は、携帯情報端末が、補正矩形範囲の移動後の基点に関する移動基点データを投射装置に送信する手段と、投射装置が、受信した移動基点データと、初期画像と、に基づいて、移動された補正矩形範囲に含まれる補正対象画像を生成し、当該補正対象画像を拡大投射する手段と、から成ることが好ましい。
【００１８】
この構成によれば、補正矩形範囲の移動を行った場合でも、移動後の補正矩形範囲の基点に関する移動基点データのみを投射装置に送信すればよいため、データ転送量を削減できると共に、制御が容易である。
【００１９】
上記の投射システムにおいて、拡大範囲指定手段は、ペンによって表示画面に閉じた図形が書き込まれることにより、拡大範囲が指定されることが好ましい。
【００２０】
この構成によれば、操作者はペンにより閉じた図形を書き込むだけの簡単操作で拡大範囲を指定することができる。なお、「閉じた図形」とはループ状の円や四角形など、内部と外部とが識別可能な図形を指す。
【００２１】
上記の投射システムにおいて、拡大範囲指定手段は、ペンによって表示画面に直線が書き込まれることにより、拡大範囲の底辺が指定され、補正・算出手段は、書き込まれた直線と、表示画面の解像度と、に基づいて、矩形範囲の高さを算出した後、当該矩形範囲の拡張補正、および拡大率の算出を行うことが好ましい。
【００２２】
この構成によれば、操作者はペンにより直線を書き込むだけの簡単操作で拡大範囲を指定することができる。この場合、直線の開始点および終了点の座標と、表示画面の解像度とに基づいて矩形範囲が決定されることとなる。
【００２３】
上記の投射システムにおいて、拡大範囲指定手段は、ペンに特定色が指定されている場合のみ、拡大範囲が指定可能であることが好ましい。
【００２４】
この構成によれば、特定色以外が指定されたペンであれば、拡大範囲の指定に相当する書き込みを行った場合でも、携帯情報端末が範囲指定されたと認識しないため、操作者は表示画面上への書き込みが制限されることなく、拡大範囲を指定することができる。
【００２５】
本発明の投射装置は、上記の投射システムに適用されることを特徴とする。
【００２６】
本発明の携帯情報端末は、上記の投射システムに適用されることを特徴とする。
【００２７】
本発明のプログラムは、コンピュータを、上記の投射システムにおける各手段として機能させるためのものであることを特徴とする。
【００２８】
これらを用いることにより、迅速に目的の画像を拡大投射し得ると共に操作性の良い投射システムを実現することができる。
【発明を実施するための最良の形態】
【００２９】
以下、本発明の一実施形態に係る投射システム、投射装置、携帯情報端末、投射システムの制御方法およびプログラムについて、添付図面を参照しながら詳細に説明する。本発明は、画像を生成する携帯情報端末と、当該携帯情報端末から送信された画像を投射する投射装置とから成る投射システムにおいて、携帯情報端末の表示画面に拡大範囲を書き込むことによって、投射画像の一部を拡大投射し得るよう構成されたものである。そこで、タブレットＰＣとプロジェクタとが無線接続されたプレゼンテーション用の投射システムを例に挙げて、以下説明する。
【００３０】
図１は、本実施形態に係る投射システム１のシステム構成図である。同図に示すように投射システム１は、操作者（プレゼンテンター）により操作され、プレゼンテーションを行うための画像を生成するタブレットＰＣ１０と、タブレットＰＣ１０から送信された画像をスクリーン３０に向けて投射するプロジェクタ２０と、から成り、両者は無線ＬＡＮ４０によって接続されている。
【００３１】
タブレットＰＣ１０は、画像および操作内容を表示する表示画面１１と、当該表示画面１１への書き込み（ダイレクト入力）や、各種キー操作を行うためのペン１２と、を有している。本実施形態では、操作者がこのペン１２を用いて所定の図形を表示画面１１に書き込むことにより拡大範囲Ｅ１（図４（ｂ）等参照）が指定され、当該指定に基づいてプロジェクタ２０により拡大投射を行う。
【００３２】
一方、プロジェクタ２０は、画像を投射する投射ランプや当該投射ランプからの投射光（画像）をスクリーン３０（投射画面３１）上に拡大投射する投射レンズなど、各種画像信号処理系および照明光学系から成る投射手段２１を有している。なお、タブレットＰＣ１０およびプロジェクタ２０は、一般的な構成であるため、詳細なハードウェア構成については説明を省略する。
【００３３】
次に、図２を参照し、投射システム１の制御構成について説明する。タブレットＰＣ１０は、上記の表示画面１１に相当する表示手段、上記のペン１２に相当する操作手段の他、記憶手段１３、送受信手段１４および制御手段１５を有している。
【００３４】
表示手段（表示画面１１）は、初期画像Ｇ０（図４（ａ）等参照）を表示する初期画像表示手段１１１、初期画像Ｇ０上に拡大範囲Ｅ１（図４（ｂ）等参照）を表示する拡大範囲表示手段１１２、および初期画像Ｇ０上に補正矩形範囲Ｅ３（図５（ａ）等参照）を表示する補正矩形範囲表示手段１１３から成る。初期画像Ｇ０とは、操作者によって拡大範囲Ｅ１が指定されたときに表示画面１１上に表示されている画像（投射画面３１上に表示されている画像）を指す。また、補正矩形範囲Ｅ３とは、拡大範囲Ｅ１と、表示画面１１の解像度とに基づいてプロジェクタ２０が決定する実際の拡大範囲Ｅ１を指す。
【００３５】
操作手段（ペン１２）は、拡大範囲Ｅ１を指定する拡大範囲指定手段１２１、および補正矩形範囲Ｅ３（拡大範囲Ｅ１）を移動する移動手段１２２から成る。移動手段１２２は、補正矩形範囲Ｅ３をペン１２でドラッグさせることにより、拡大対象となる範囲を移動させるものである。
【００３６】
記憶手段１３は、ハードディスク等によって構成され、本実施形態における画像拡大投射方法を実現するためのプレゼンテーション用アプリケーション１３１が組み込まれている。つまり、プレゼンテーション用アプリケーション１３１は、プロジェクタ２０とのデータの送受信制御および表示画面１１への表示制御など、制御手段１５によって制御を行うための制御プログラムに相当する。
【００３７】
送受信手段１４は、プロジェクタ２０とのデータの送受信を行うための通信インターフェース、および無線ドライバ等により構成される。
【００３８】
制御手段１５は、矩形範囲データ（図６（ｂ）参照）を生成する矩形範囲データ生成手段１５１、および移動基点データ（図８（ｂ）参照）を生成する移動基点データ生成手段１５２から成る。矩形範囲データとは、操作者によって指定された拡大範囲Ｅ１の最左点、最右点、最上点、最下点に基づいて決定される矩形範囲Ｅ２（図６（ａ）参照）の、基点（Ｘ、Ｙ）、幅（Ｗ）および高さ（Ｈ）に関するデータを指す。また、移動基点データとは、拡大対象となる範囲（補正矩形範囲Ｅ３）が移動されたときの移動後の基点（Ｘｄ，Ｙｄ）に関するデータを指す。
【００３９】
一方、プロジェクタ２０は、上記の投射手段２１（図１参照）の他、送受信手段２２、記憶手段２３および制御手段２４を有している。
【００４０】
送受信手段２２は、タブレットＰＣ１０とのデータの送受信を行うための通信インターフェース、および無線ドライバ等により構成される。なお、上記のタブレットＰＣ１０側の送受信手段１４も同様であるが、有線接続のためのコネクタおよびＬＡＮケーブル等によって送受信手段２２を構成することも当然可能である。
【００４１】
記憶手段２３は、フラッシュＲＯＭ等によって構成され、プロジェクタ２０を動作させるためのファームウェアが記憶されている他、ワークエリアとして用いられる。
【００４２】
制御手段２４は、主に矩形範囲Ｅ２を補正し、補正矩形範囲データ（図７（ａ）参照）を生成する矩形範囲補正手段２４１、補正矩形範囲データと表示画面１１の解像度（投射画像の解像度）とに基づいて拡大率を算出する拡大率算出手段２４２、およびタブレットＰＣ１０から送信された画像や算出した拡大率に基づいてスクリーン３０（図１参照）に投射する投射画像を生成する投射画像生成手段２４３から成る。補正矩形範囲データとは、タブレットＰＣ１０から送信された矩形範囲データと表示画面１１の解像度（投射画像の解像度）とに基づいて算出した補正矩形範囲Ｅ３（図５（ａ）参照）の、基点（Ｘ、Ｙ）、補正幅（ＮＷ）および補正高さ（ＮＨ）に関するデータを指す。また、拡大率とは、表示画面の横方向（Ｘ方向）における解像度（ＰＣＸ）と縦方向（Ｙ方向）における解像度（ＰＣＹ）とを乗算した値を、補正幅（ＮＷ）と補正高さ（ＮＨ）とを乗算した値により除した値を指す。なお、補正矩形範囲データの生成方法および拡大率の算出方法の詳細については、図６ないし図８を参照して後述する。
【００４３】
ここで、図３のフローチャートを参照し、上記のタブレットＰＣ１０およびプロジェクタ２０の制御手段１５，２４による画像拡大投射処理について説明する。同図（ａ）に示すように、タブレットＰＣ１０の特定のキー押下により、拡大モードが設定されると（Ｓ０１）、拡大範囲Ｅ１の指定が可能な状態となる。なお、拡大範囲Ｅ１の指定は、ペン１２が特定色に指定されている場合のみ可能である。例えば、特定色が「赤色」である場合、赤色指定のペン１２によって図４（ｂ）に示すような楕円形が描かれると（Ｓ０２）、タブレットＰＣ１０はこれを「拡大範囲Ｅ１の指定」として認識し、表示画面１１上に表示されている画像を初期画像Ｇ０としてプロジェクタ２０に送信する（Ｓ０３）。プロジェクタ２０は、送信された初期画像Ｇ０を記憶手段２３（図２参照）に保存する（Ｓ０４）。
【００４４】
また、表示画面１１上には、初期画像Ｇ０上に楕円形が描かれたままの状態となっており（拡大範囲表示，Ｓ０５）、タブレットＰＣ１０は、この楕円形の最左点、最右点、最上点、最下点に基づく矩形範囲Ｅ２の矩形範囲データを生成する（Ｓ０６）。生成した矩形範囲データは、プロジェクタ２０に送信され（Ｓ０７）、プロジェクタ２０は、受信した矩形範囲データと、表示画面１１の解像度とに基づいて矩形範囲Ｅ２を補正する（Ｓ０８）。なお、表示画面１１の解像度については、初期画像Ｇ０のデータと共に（若しくはそれに先だって）受信したデータ内に含まれていた解像度データを参照する。
【００４５】
また、プロジェクタ２０は、補正した矩形範囲Ｅ２に基づいて拡大率を算出し（Ｓ０９）、補正後の矩形範囲Ｅ２である補正矩形範囲Ｅ３の画像（補正対象画像Ｇ３）を投射画像として生成すると共に、これを投射する（Ｓ１０）。さらに、補正矩形範囲Ｅ３の、基点（Ｘ、Ｙ）、補正幅（ＮＷ）および補正高さ（ＮＨ）に関する補正矩形範囲データをタブレットＰＣ１０に送信し（Ｓ１１）、タブレットＰＣ１０は受信した補正矩形範囲データに基づいて、表示画面１１の初期画像Ｇ０上に補正矩形範囲Ｅ３を表示する（Ｓ１２）。
【００４６】
また、図３（ｂ）に示すように、ペン１２の操作により補正矩形範囲Ｅ３が移動された場合は（Ｓ２１）、移動後の補正矩形範囲Ｅ３の基点を示す移動基点データをプロジェクタ２０に送信し、プロジェクタ２０は、受信した移動基点データと、保存している初期画像Ｇ０とに基づいて移動後の補正対象画像Ｇ３を生成すると共に、これを投射する（Ｓ２３）。
【００４７】
また、図３（ｃ）に示すように、特定キーの押下によって拡大範囲Ｅ１が解除された場合は（Ｓ３１）、タブレットＰＣ１０が解除命令を送信することにより、プロジェクタ２０が記憶手段２３内に保存している初期画像Ｇ０を削除する（Ｓ３２）。また、拡大範囲Ｅ１として他箇所が指定された場合（他箇所の矩形範囲データが送信された場合）も、プロジェクタ２０は記憶手段２３内の初期画像Ｇ０を削除する。
【００４８】
次に、図４および図５を参照し、タブレットＰＣ１０の表示画面１１およびプロジェクタ２０の投射画面３１の表示例を参照しながら、上記の画像拡大投射処理についてさらに詳細に説明する。なお、左右に位置する画面例は、時間軸において対応するものである。
【００４９】
例えば、表示画面１１および投射画面３１上に、図４（ａ）に示すような画像（コンテンツ）が表示されているとき、同図（ｂ）に示すように、表示画面１１への書き込みによって拡大範囲Ｅ１が指定されると、これに伴って投射画面３１上にも拡大範囲Ｅ１を表示する。
【００５０】
また、プロジェクタ２０は、この拡大範囲Ｅ１の表示と並行して、矩形範囲Ｅ２の補正（補正矩形範囲データの生成）、拡大率の算出、および補正対象画像Ｇ３の生成処理を行っており（図３のＳ０８〜Ｓ１０に相当）、図５（ａ）に示すように、補正矩形範囲Ｅ３を表示すると共に当該補正矩形範囲Ｅ３に含まれる補正対象画像Ｇ３を拡大投射する。また、タブレットＰＣ１０は、プロジェクタ２０から送信された補正矩形範囲データに基づいて、表示画面１１上に補正矩形範囲Ｅ３を表示する。このとき、表示画面１１上には、初期画像Ｇ０、書き込まれた拡大範囲Ｅ１および補正矩形範囲Ｅ３が表示されることとなる。なお、拡大範囲Ｅ１が解除された場合は、表示画面１１から拡大範囲Ｅ１および補正矩形範囲Ｅ３の表示が削除される。
【００５１】
また、図５（ａ）の状態から、同図（ｂ）に示すように補正矩形範囲Ｅ３が移動されると（補正矩形範囲Ｅ３の移動に伴って、当然拡大範囲Ｅ１も移動する）、投射画面３１の表示も変化する。なお、移動途中の画面表示については特に図示していないが、補正矩形範囲Ｅ３の移動に伴って、両画面１１，３１も刻々と変化する。
【００５２】
次に、図６ないし図８を参照し、補正矩形範囲データの生成方法および拡大率の算出方法の詳細について説明する。図６（ａ）に示すように、拡大範囲Ｅ１が指定された場合、タブレットＰＣ１０は、拡大範囲Ｅ１の最左点、最右点、最上点、最下点を、表示画面１１の縦および横と平行な長方形（矩形範囲Ｅ２）で囲み、その長方形の４つの頂点に相当する座標（Ｘ１，Ｙ１）、（Ｘ２，Ｙ１）、（Ｘ２，Ｙ２）、（Ｘ１，Ｙ２）に基づいて、矩形範囲データを生成する。
【００５３】
同図（ｂ）に示すように、矩形範囲データを「（Ｘ，Ｙ），Ｗ，Ｈ」と定義すると、（Ｘ，Ｙ）は、矩形範囲Ｅ２の左上頂点となる基点、Ｗは、矩形範囲Ｅ２の幅、Ｈは、矩形範囲Ｅ２の高さを、それぞれ示す。したがって、Ｘ＝Ｘ１，Ｙ＝Ｙ１，Ｗ＝Ｘ２−Ｘ１，Ｈ＝Ｙ２−Ｙ１となり、これらの値を代入した矩形範囲データが、タブレットＰＣ１０からプロジェクタ２に送信される。
【００５４】
続いて、プロジェクタ２における矩形範囲Ｅ２の補正、補正矩形範囲データの生成、および拡大率の算出について説明する。図７（ａ）に示すように、補正矩形範囲Ｅ３を示す補正矩形範囲データを、「（Ｘ，Ｙ），ＮＷ，ＮＨ」と定義する。つまり、補正矩形範囲Ｅ３は、矩形範囲Ｅ２と同一基点であり、幅および／または高さが変更された範囲である。また、補正矩形範囲Ｅ３は、矩形範囲Ｅ２を拡張補正したものであるため、Ｗ≦ＮＷ且つＨ≦ＮＨとなり、補正矩形範囲Ｅ３の縦方向長さおよび横方向長さが、矩形範囲Ｅ２より短くなることはない。
【００５５】
ここで、同図（ｂ）に示すように、表示画面１１の解像度（投射画像の解像度）を、横：ＰＣＸおよび縦：ＰＣＹと定義すると、同図（ｃ）に示すように、ＮＷ：ＮＨ＝ＰＣＸ：ＰＣＹとなるように、ＮＷまたはＮＨの値を補正することで、補正矩形範囲データを生成することができる。つまり、同図（ｃ）に示すような判別を行うことによって、幅（Ｗ）または高さ（Ｈ）いずれか長い方を基準として、他方の値を補正する。
【００５６】
例えば、同図（ｄ）に示すように、Ｗ＝５０，Ｈ＝３０，ＰＣＸ＝１０２４，ＰＣＹ＝７６８の場合は、（１）＝５／８，（２）＝３／８，（３）＝４／７，（４）＝３／７であり、（１）−（３）＞（２）−（４）であるため、幅（Ｗ）を基準とする（ＮＷ＝Ｗ＝５０）。そして、ＮＷ：ＮＨ＝ＰＣＸ：ＰＣＹから、他方の値である補正高さ（ＮＨ）が、ＮＨ＝３７．５と算出できる。
【００５７】
また、このときの拡大率は、ＰＣＸ＊ＰＣＹ／ＮＷ＊ＮＨから求めることができ、同図（ｄ）の例の場合、拡大率＝４１９と算出できる（小数点切り下げ）。このように、補正矩形範囲Ｅ３は、矩形範囲Ｅ２と表示画面１１の解像度とに基づいて、縦横等倍且つ最大拡大できるように、補正されたものである。また、算出された補正矩形範囲データは、プロジェクタ２からタブレットＰＣ１０に送信される。
【００５８】
このとき、表示画面１１に表示される補正矩形範囲Ｅ３は、図８（ａ）に示すとおりである。つまり、補正矩形範囲Ｅ３は、左上頂点の座標（Ｘ，Ｙ）を基点として、矩形範囲Ｅ２の高さ（Ｈ）が補正高さ（ＮＨ）に補正されたものに相当する。なお、同図では矩形範囲Ｅ２を一点鎖線で示しているが、説明上記載したものであり、実際の表示画面１１上には表示されない。
【００５９】
なお、補正矩形範囲Ｅ３を移動した場合は、上記のとおり補正矩形範囲Ｅ３を示す補正矩形範囲データ「（Ｘ，Ｙ），ＮＷ，ＮＨ」（図７（ａ）参照）を、プロジェクタ２０に送信するのではなく、図８（ｂ）に示すように、移動した位置を示す移動基点データ（Ｘｄ，Ｙｄ）のみを送信する。これは、補正矩形範囲Ｅ３の面積（倍率）が、移動によって変更することはないためである。
【００６０】
次に、図９を参照し、拡大範囲Ｅ１の他の指定方法について説明する。本例では、拡大範囲Ｅ１の底辺に相当する直線をペン１２で書き込むことによって、拡大範囲Ｅ１を指定するものである。例えば、同図（ａ）に示すように、直線Ｌが書き込まれた場合、タブレットＰＣ１０は、その直線Ｌの開始点の座標（Ｘ１，Ｙ１）と終了点の座標（Ｘ２，Ｙ２）とに基づいて、矩形範囲データ「（Ｘ，Ｙ），Ｗ，Ｈ」を生成する。
【００６１】
このとき、Ｘ＝Ｘ１，Ｗ＝Ｘ２−Ｘ１であるから、この値を代入して、ＰＣＸ：ＰＣＹ＝Ｗ：Ｈとなるように、Ｈの値を算出すると、Ｈ＝ＰＣＹ＊（Ｘ２−Ｘ１）／ＰＣＸと算出できる。また、Ｙ１≦Ｙ２の場合は、Ｙ＝Ｙ１−Ｈから、Ｙ＝Ｙ１−ＰＣＹ＊（Ｘ２−Ｘ１）／ＰＣＸと算出でき、Ｙ２＜Ｙ１の場合は、Ｙ＝Ｙ２−Ｈから、Ｙ＝Ｙ２−ＰＣＹ＊（Ｘ２−Ｘ１）／ＰＣＸと算出できる。このように場合分けをするのは、直線が斜めに引かれる可能性があるためである。
【００６２】
以上の工程によって、タブレットＰＣ１０により拡大範囲Ｅ１（矩形範囲Ｅ２）が決定され、生成した矩形範囲データ「（Ｘ，Ｙ），Ｗ，Ｈ」がプロジェクタ２０に送信される。なお、本例のように拡大範囲Ｅ１が直線で指定された場合も、矩形範囲データを受信したプロジェクタ２０によって矩形範囲Ｅ２が補正され、その補正矩形範囲Ｅ３に基づいて拡大投射が行われることとなる。
【００６３】
最後に、図１０を参照し、楕円または直線以外で拡大範囲Ｅ１を指定する方法について簡単に説明する。本実施形態では、ペン１１による手書き入力を前提としているため、図１０（ａ）に示すように、均整のとれた楕円や矩形ではなく、しかも図形の開始点と終了点が一致しない場合も考えられる。このような場合は、閉じた図形の最左点、最右点、最上点、最下点に基づいて、拡大範囲Ｅ１（矩形範囲Ｅ２）を決定する。すなわち、開始点と終了点が一致しない図形でも、閉じた図形（長方形、楕円、多角形）が形成されていれば、拡大範囲Ｅ１として指定することができる。
【００６４】
また、同図（ｂ）に示すように、拡大したい領域の中心部Ｐをペン１２で押圧し、その押圧時間によって、中心部Ｐから楕円が広がっていく構成により、拡大範囲Ｅ１を指定することも可能である。この場合、楕円の縦方向と横方向との割合は、解像度に基づいて決定されていることが好ましい。この構成によれば、矩形範囲Ｅ２を補正矩形範囲Ｅ３に補正する処理を省略することができる。
【００６５】
また、ペン１２による指定以外にも、カーソルキーやマウスを用いて拡大範囲Ｅ１を指定できるように構成することも、当然可能である。
【００６６】
以上、説明したとおり、本実施形態によれば、タブレットＰＣ１０の表示画面１１への書き込みによって拡大範囲Ｅ１を指定し、その拡大範囲Ｅ１と表示画面１１の解像度とに基づいて決定された補正矩形範囲Ｅ３に含まれる補正対象画像Ｇ３を拡大投射することができる。つまり、操作者は、拡大範囲Ｅ１を直接指定することができるため、プロジェクタ２０で拡大する場合（投射画像の中心部から拡大を行い、所望の拡大位置まで移動させる操作が必要）と比べて、迅速に目的の画像を拡大投射することができ、しかもプロジェクタ２０を操作するためのリモコン等に持ち替える必要がないため、操作性が良い。また、プロジェクタ２０で拡大投射されているときでも、表示画面１１は元の画像（初期画像Ｇ０）を表示したままである（拡大範囲Ｅ１のみの表示ではない）ため、操作者は初期画像Ｇ０の全体を把握しながらプレゼンテーションを行うことができる。
【００６７】
また、プロジェクタ２０により、指定した拡大範囲Ｅ１の大きさに基づいて拡大率が自動算出されるため、操作者は拡大率を指定する手間を省くことができる。また、縦横等倍且つ最大拡大できるように拡大範囲を含む矩形範囲を拡張補正するため、より分かり易く（効果的に）拡大投射を行うことができる。
【００６８】
また、表示画面１１には、拡大範囲Ｅ１の他、補正矩形範囲Ｅ３が表示されるため、操作者は、投射画像を見なくともタブレットＰＣ１０側で補正矩形範囲Ｅ３を確認することができる。
【００６９】
また、プロジェクタ２０側で矩形範囲Ｅ２の拡張補正、および拡大率の算出を行うことにより、タブレットＰＣ１０に拡張補正等を行う機能を搭載する必要がなく、タブレットＰＣ１０の汎用性を高めることができる。
【００７０】
また、拡大範囲Ｅ１として指定した以外の領域を拡大表示したい場合でも、再度拡大範囲Ｅ１を指定し直すのではなく、補正矩形範囲Ｅ３の位置を移動すればよいため、操作性が良い。また、この場合でも、表示画面１１上には、初期画像Ｇ０が表示されたままであり、初期画像Ｇ０上に表示されている補正矩形範囲Ｅ３を移動させればよいため、所望する位置への移動が容易である。また、タブレットＰＣ１０は、補正矩形範囲Ｅ３の移動を行った場合でも、移動後の補正矩形範囲Ｅ３の基点に関する移動基点データのみをプロジェクタ２０に送信すればよいため、データ転送負荷を軽減できると共に、制御を簡素化できる。
【００７１】
また、ペン１２に特定色が指定されている場合のみ、拡大範囲Ｅ１を指定可能であるため、特定色以外が指定されたペン１２であれば、拡大範囲Ｅ１の指定に相当する書き込みを行った場合でも、タブレットＰＣ１０が範囲指定されたと認識することがない。すなわち、操作者は表示画面１１上への書き込みが制限されることなく、拡大範囲Ｅ１を指定することができる。
【００７２】
なお、上記の例では、プロジェクタ２０によって決定された補正矩形範囲Ｅ３に含まれる補正対象画像Ｇ３を拡大投射するものとしたが、操作者によって指定された拡大範囲Ｅ１に含まれる画像（対象画像）、または指定された拡大範囲Ｅ１に基づく矩形範囲Ｅ２に含まれる画像を対象として拡大投射を行うようにしても良い。この場合、拡大率は一定であっても良いし、拡大範囲Ｅ１または矩形範囲Ｅ２の大きさによって定まる値としても良い。
【００７３】
また、補正矩形範囲Ｅ３の決定（矩形範囲Ｅ２の補正）および拡大率の算出は、プロジェクタ２０によって行うものとしたが、タブレットＰＣ１０側で行うようにしても良い。この場合は、タブレットＰＣ１０が補正矩形範囲データおよび拡大率に関するデータをプロジェクタ２０に送信することとなる。
【００７４】
また、上記の例では、表示画面１１および投射画面３１上に、拡大範囲Ｅ１および補正矩形範囲Ｅ３が表示されるものとしたが（図５（ａ）参照）、拡大範囲Ｅ１または補正矩形範囲Ｅ３のうちいずれか、または両方を表示させないようにしても良い。また、表示画面１１または投射画面３１のいずれか、または両方に、これらの範囲Ｅ１，Ｅ３を表示させないようにしても良い。また、これに代えて、矩形範囲Ｅ２を表示させるようにしても良い。さらに、これらの範囲Ｅ１，Ｅ２，Ｅ３を表示させるか否かについて操作者がＯＳＤメニュー等により設定できるようにしても良い。
【００７５】
また、上記の例では、矩形範囲Ｅ２の左上頂点（Ｘ，Ｙ）を基点としたが、矩形範囲Ｅ２の中点を基点としても良い。この構成によれば、投射画面３１上の中心と拡大範囲Ｅ１（補正矩形範囲Ｅ３）の中点とが一致するため、見栄え良く拡大投射画像を表示することができる。なお、その他矩形範囲Ｅ２の左下頂点、右上頂点、右下頂点などを基点とすることも可能である。
【００７６】
また、上記の例に示した、タブレットＰＣ１０またはプロジェクタ２０の各部（各機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００７７】
また、上述した実施例によらず、投射システム１のシステム構成や処理工程等について、本発明の要旨を逸脱しない範囲で、適宜変更も可能である。また、タブレットＰＣ１０以外に、ＰＤＡやノートＰＣなどの情報携帯端末を用いて、投射システム１を構築することも可能である。
【図面の簡単な説明】
【００７８】
【図１】本発明の一実施形態に係る投射システムのシステム構成図である。
【図２】投射システムの機能ブロック図である。
【図３】投射システムの画像拡大投射処理を示すフローチャートである。
【図４】画像拡大投射処理を画面表示例で説明する説明図である。
【図５】図４に続く説明図である。
【図６】補正矩形範囲データの生成方法および拡大率の算出方法を説明する説明図である。
【図７】図６に続く説明図である。
【図８】図６および図７に続く説明図である。
【図９】拡大範囲の他の指定方法を説明する説明図である。
【図１０】楕円または直線以外で拡大範囲を指定する方法を説明する説明図である。
【符号の説明】
【００７９】
１：投射システム，１０：タブレットＰＣ，１１：表示画面，１２：ペン，２０：プロジェクタ，２１：投射手段，３１：投射画面，Ｅ１：拡大範囲，Ｅ２：矩形範囲，Ｅ３：補正矩形範囲，Ｇ０：初期画像，Ｇ３：補正対象画像，Ｈ：矩形範囲の高さ，Ｗ：矩形範囲の幅，ＮＨ：補正矩形範囲の補正高さ，ＮＷ：補正矩形範囲の補正幅
【図１】
2007241537.tif 000003
【図２】
2007241537.tif 000004
【図３】
2007241537.tif 000005
【図４】
2007241537.tif 000006
【図５】
2007241537.tif 000007
【図６】
2007241537.tif 000008
【図７】
2007241537.tif 000009
【図８】
2007241537.tif 000010
【図９】
2007241537.tif 000011
【図１０】
2007241537.tif 000012